(57)【要約】【課題】  カバーを固定する作業性を高めるとともに、コスト低減を図ることが可能な照明装置を提供すること。【解決手段】  複数のＬＥＤ５２を有するＬＥＤユニットＢ１を備える照明装置Ａ１であって、ＬＥＤユニットＢ１は、複数のＬＥＤ５２を収容するケース２と、複数のＬＥＤ５２からの光を透過させるカバー６と、を備えており、カバー６は、カバー側係合部６３を有し、ケース２は、ケース側係合部２３を有し、カバー６は、カバー側係合部６３がケース側係合部２３に係合することにより、ケース２に固定されている。【選択図】  図１０
2020205244.tif 000002
【特許請求の範囲】
【請求項１】
複数のＬＥＤを有するＬＥＤユニットを備える照明装置であって、
前記ＬＥＤユニットは、前記複数のＬＥＤを収容するケースと、前記複数のＬＥＤからの光を透過させるカバーと、を備えており、
前記カバーは、カバー側係合部を有し、
前記ケースは、ケース側係合部を有し、
前記カバーは、前記カバー側係合部が前記ケース側係合部に係合することにより、前記ケースに固定されていることを特徴とする、照明装置。
【請求項２】
前記カバーは、前記ケースに対して第１方向にスライドさせることにより係合する、請求項１に記載の照明装置。
【請求項３】
前記カバー側係合部は、前記第１方向と直角であって前記ケースの深さ方向である第２方向から前記複数のＬＥＤを覆う主板部と、前記主板部の前記第１方向および前記第２方向と直角である第３方向両端から前記第２方向に延びる一対の側板部と、当該一対の側板部に設けられた一対の前記カバー側係合部と、を有し、
前記カバー側係合部は、各々が前記側板部から前記第３方向内方に延出し且つ前記第１方向に延びるカバー側第１板部およびカバー側第２板部を有し、
前記カバー側第２板部は、前記第２方向において前記主板部と前記カバー側第１板部との間に位置し、
前記カバー側係合部は、前記カバー側第２板部の前記第３方向内端縁から前記第２方向において前記カバー側第１板部に向かって延出し且つ前記第１方向に延びるカバー側第３板部をさらに有する、請求項２に記載の照明装置。
【請求項４】
前記側板部は、前記第２方向において前記主板部に対して前記カバー側係合部とは反対側に位置するパネル保持部を有し、
前記カバーは、前記パネル保持部に保持された拡散パネルをさらに有する、請求項３に記載の照明装置。
【請求項５】
１以上の前記ＬＥＤユニットを支持する支持体をさらに備えており、
前記支持体は、前記ＬＥＤユニットに電力供給するための配線を覆う配線カバーを有しており、
前記配線カバーは、突起部および爪部を有し、
前記支持体は、前記突起部を挿入するための位置決め用挿入口と、前記位置決め用挿入口に繋がり且つ前記突起部をスライドさせるための位置決め用スリットと、前記突起部が前記位置決め用スリットに沿ってスライドすることにより、前記爪部が嵌まり込む固定用開口と、を有する、請求項１ないし４の何れかに記載の照明装置。
【請求項６】
前記ＬＥＤユニットは、前記ケースの両端を塞ぐエンドキャップを備えており、
前記ケースの寸法と前記ケースよりも長い前記カバーの寸法との差の大きさに対応した複数種類の前記エンドキャップが用意されている、請求項１ないし５のいずれかに記載の照明装置。
【発明の詳細な説明】
【技術分野】
【０００１】
本発明は、照明装置に関する。
【背景技術】
【０００２】
ＬＥＤを光源として用いた照明装置が広く用いられている。特許文献１には、従来の照明装置の一例が開示されている。この照明装置は、複数のＬＥＤを収容するケースと、複数のＬＥＤからの光を透過させる透光性のカバーと、を備えている。当該照明装置では、カバーおよびケースの双方に固定される固定部材を介して、カバーがケースに固定される。
【先行技術文献】
【特許文献】
【０００３】
【特許文献１】特開２０１７−２７７９１号公報
【発明の概要】
【発明が解決しようとする課題】
【０００４】
カバーおよびケースとは固定部材とを各別に固定する作業を強いられるため、組立作業性が損なわれていた。また、カバーおよびケースとは別体の固定部材を必要とするため、コスト増大を招来していた。
【０００５】
本発明は、上記した事情のもとで考え出されたものであって、カバーを固定する作業性を高めるとともに、コスト低減を図ることが可能な照明装置を提供することをその課題とする。
【課題を解決するための手段】
【０００６】
本発明によって提供される照明装置は、複数のＬＥＤを有するＬＥＤユニットを備える照明装置であって、前記ＬＥＤユニットは、前記複数のＬＥＤを収容するケースと、前記複数のＬＥＤからの光を透過させるカバーと、を備えており、前記カバーは、カバー側係合部を有し、前記ケースは、ケース側係合部を有し、前記カバーは、前記カバー側係合部が前記ケース側係合部に係合することにより、前記ケースに固定されていることを特徴としている。
【０００７】
本発明の好ましい実施の形態においては、前記カバーは、前記ケースに対して第１方向にスライドさせることにより係合する。
【０００８】
本発明の好ましい実施の形態においては、前記カバー側係合部は、前記第１方向と直角であって前記ケースの深さ方向である第２方向から前記複数のＬＥＤを覆う主板部と、前記主板部の前記第１方向および前記第２方向と直角である第３方向両端から前記第２方向に延びる一対の側板部と、当該一対の側板部に設けられた一対の前記カバー側係合部と、を有し、前記カバー側係合部は、各々が前記側板部から前記第３方向内方に延出し且つ前記第１方向に延びるカバー側第１板部およびカバー側第２板部を有し、前記カバー側第２板部は、前記第２方向において前記主板部と前記カバー側第１板部との間に位置し、前記カバー側係合部は、前記カバー側第２板部の前記第３方向内端縁から前記第２方向において前記カバー側第１板部に向かって延出し且つ前記第１方向に延びるカバー側第３板部をさらに有する。
【０００９】
本発明の好ましい実施の形態においては、前記側板部は、前記第２方向において前記主
板部に対して前記カバー側係合部とは反対側に位置するパネル保持部を有し、前記カバーは、前記パネル保持部に保持された拡散パネルをさらに有する。
【００１０】
本発明の好ましい実施の形態においては、１以上の前記ＬＥＤユニットを支持する支持体をさらに備えており、前記支持体は、前記ＬＥＤユニットに電力供給するための配線を覆う配線カバーを有しており、前記配線カバーは、突起部および爪部を有し、前記支持体は、前記突起部を挿入するための位置決め用挿入口と、前記位置決め用挿入口に繋がり且つ前記突起部をスライドさせるための位置決め用スリットと、前記突起部が前記位置決め用スリットに沿ってスライドすることにより、前記爪部が嵌まり込む固定用開口と、を有する。
【００１１】
本発明の好ましい実施の形態においては、前記ＬＥＤユニットは、前記ケースの両端を塞ぐエンドキャップを備えており、前記ケースの寸法と前記ケースよりも長い前記カバーの寸法との差の大きさに対応した複数種類の前記エンドキャップが用意されている。
【発明の効果】
【００１２】
本発明によれば、カバーを固定する作業性を高めるとともに、コスト低減を図ることができる。
【００１３】
本発明のその他の特徴および利点は、添付図面を参照して以下に行う詳細な説明によって、より明らかとなろう。
【図面の簡単な説明】
【００１４】
【図１】本発明の第１実施形態に係る照明装置を示す斜視図である。
【図２】本発明の第１実施形態に係る照明装置を示す分解斜視図である。
【図３】本発明の第１実施形態に係る照明装置を示す平面図である。
【図４】図３のＩＶ−ＩＶ線に沿う断面図である。
【図５】図３のＶ−Ｖ線に沿う断面図である。
【図６】本発明の第１実施形態に係る照明装置の支持体を示す平面図である。
【図７】本発明の第１実施形態に係る照明装置のＬＥＤユニットを示す斜視図である。
【図８】本発明の第１実施形態に係る照明装置のＬＥＤユニットを示す斜視図である。
【図９】本発明の第１実施形態に係る照明装置のＬＥＤユニットを示す分解斜視図である。
【図１０】本発明の第１実施形態に係る照明装置のＬＥＤユニットを示す断面図である。
【図１１】本発明の第１実施形態に係る照明装置のＬＥＤユニットを示す要部拡大断面図である。
【図１２】本発明の第１実施形態に係る照明装置のＬＥＤユニットのカバーを示す断面図である。
【図１３】（ａ）〜（ｃ）は、本発明の第１実施形態に係る照明装置の配線カバーを示す斜視図である。
【図１４】（ａ）は、本発明の第１実施形態に係る照明装置の配線カバーを示す正面図であり、（ｂ）は、同図（ａ）のＢ−Ｂ線に沿う断面図であり、（ｃ）は、同図（ａ）のＣ−Ｃ線に沿う断面図である。
【図１５】本発明の第１実施形態に係る照明装置の配線カバーの取り付けを示す要部分解斜視図である。
【図１６】本発明の第１実施形態に係る照明装置のＬＥＤユニットのカバーの変形例を示す斜視図である。
【図１７】本発明の第１実施形態に係る照明装置のＬＥＤユニットのカバーの変形例を示す断面図である。
【図１８】本発明の第２実施形態に係る照明装置を示す分解斜視図である。
【図１９】本発明の第２実施形態に係る照明装置のＬＥＤユニットを示す分解斜視図である。
【図２０】本発明の第３実施形態に係る照明装置を示す分解斜視図である。
【図２１】本発明の第３実施形態に係る照明装置のＬＥＤユニットを示す斜視図である。
【図２２】本発明の第３実施形態に係る照明装置のＬＥＤユニットを示す斜視図である。
【図２３】本発明の第３実施形態に係る照明装置の保持部材を示す、（ａ）は斜視図であり、（ｂ）は正面図であり、（ｃ）は底面図である。
【図２４】図２３のＸＸＩＶ−ＸＸＩＶ線に沿う断面図である。
【図２５】本発明の第３実施形態に係る照明装置の取付部材を示す、（ａ）は斜視図であり、（ｂ）は正面図であり、（ｃ）は右側面図である。
【図２６】本発明の第３実施形態に係る照明装置を示す要部拡大斜視図である。
【図２７】本発明の第３実施形態に係る照明装置を示す要部拡大断面図である。
【図２８】本発明の第３実施形態に係る照明装置を示す要部拡大分解斜視図である。
【発明を実施するための形態】
【００１５】
以下、本発明の好ましい実施の形態につき、図面を参照して具体的に説明する。
【００１６】
本開示における「第１」、「第２」、「第３」等の用語は、単にラベルとして用いたものであり、必ずしもそれらの対象物に順列を付することを意図していない。
【００１７】
＜第１実施形態＞
図１〜図１５は、本発明の第１実施形態に係る照明装置を示している。本実施形態の照明装置Ａ１は、支持体１および複数のＬＥＤユニットＢ１を備える。なお、照明装置Ａ１が備えるＬＥＤユニットＢ１の個数は特に限定されず、１つでもよし、複数でもよい。図示された例においては、照明装置Ａ１は、２つのＬＥＤユニットＢ１を備えている。
【００１８】
図１は、照明装置Ａ１を示す斜視図である。図２は、照明装置Ａ１を示す分解斜視図である。図３は、照明装置Ａ１を示す平面図である。図４は、図３のＩＶ−ＩＶ線に沿う断面図である。図５は、図３のＶ−Ｖ線に沿う断面図である。図６は、照明装置Ａ１の支持体を示す平面図である。図７は、照明装置Ａ１のＬＥＤユニットＢ１を示す斜視図である。図８は、照明装置Ａ１のＬＥＤユニットＢ１を示す斜視図である。図９は、照明装置Ａ１のＬＥＤユニットＢ１を示す分解斜視図である。図１０は、照明装置Ａ１のＬＥＤユニットＢ１を示す断面図である。図１１は、照明装置Ａ１のＬＥＤユニットＢ１を示す要部拡大断面図である。図１２は、照明装置Ａ１のＬＥＤユニットＢ１のカバー６を示す断面図である。図１３は、（ａ）〜（ｃ）は、照明装置Ａ１の配線カバー１５を示す斜視図である。図１４は、（ａ）は、照明装置Ａ１の配線カバー１５を示す正面図であり、（ｂ）は、同図（ａ）のＢ−Ｂ線に沿う断面図であり、（ｃ）は、同図（ａ）のＣ−Ｃ線に沿う断面図である。図１５は、照明装置Ａ１の配線カバー１５の取り付けを示す要部分解斜視図である。なお、これらの図において、ｘ方向は、本発明の第１方向に相当する。ｙ方向は、本発明の第３方向に相当する。ｚ方向は、本発明の第２方向に相当する。以降の説明において、ｚ方向の一方側を上側、他方側を下側と称する場合があるが、これは説明の便宜であり、本発明に係る照明装置の構成が限定されるものではない。
【００１９】
＜支持体１＞
支持体１は、ＬＥＤユニットＢ１を支持するものであり、照明装置Ａ１を建造物の天井や、構造体等に設置するために用いられる。図１〜図６に示すように、本実施形態の支持体１は、天板部１１、一対の第１側板部１２、一対の第２側板部１３および一対の内側板部１４を有する。支持体１の材質は特に限定されず、たとえばＦｅ等を主材とする金属板によって形成されている。
【００２０】
天板部１１は、ｚ方向に対して略直角であり、ｘ方向およびｙ方向に沿って延びる部位である。天板部１１の具体的構造は、特に限定されず、全体が１つの部材によって構成されていてもよいし、複数の部材が組み合わされて構成されていてもよい。本実施形態の天板部１１は、２つの開口１１１および中間開口１１２を有する。中間開口１１２には、空気吹出口等の空調部品が取り付けられる。空調部品が必要ない場合は、遮蔽パネルが取り付けられてもよい。
【００２１】
２つの開口１１１は、ｙ方向に互いに離間して設けられている。開口１１１の具体的形
状は特に限定されず、本実施形態においては、ｘ方向に長く延びており、ｚ方向視において長矩形状である。開口１１１は、ｚ方向視においてＬＥＤユニットＢ１と重なる。本実施形態においては、開口１１１は、ｚ方向視においてその全体がＬＥＤユニットＢ１と重なっている。中間開口１１２は、２つの開口１１１の間に設けられている。中間開口１１２の具体的形状は特に限定されず、本実施形態においては、ｘ方向に長く延びており、ｚ方向視において長矩形状である。
【００２２】
一対の第１側板部１２は、天板部１１のｙ方向両側に位置しており、ｘ方向に延びている。図示された例においては、第１側板部１２は、略板状であり天板部１１のｙ方向両端に繋がっている。第１側板部１２は、ｘ方向を長手方向とし、ｚ方向を短手方向とする長矩形状である。
【００２３】
一対の第２側板部１３は、天板部１１のｘ方向両側に位置しており、ｙ方向に延びている。図示された例においては、第２側板部１３は、略板状であり天板部１１のｘ方向両端に繋がっている。第２側板部１３は、ｙ方向を長手方向とし、ｚ方向を短手方向とする長矩形状である。
【００２４】
一対の内側板部１４は、ｙ方向において一対の第１側板部１２の間に位置している。一対の第１側板部１２は、中間開口１１２のｙ方向両端を構成しており、ｘ方向に延びている。図示された例においては、内側板部１４は、略板状である。内側板部１４は、ｘ方向を長手方向とし、ｚ方向を短手方向とする長矩形状である。
【００２５】
また、本実施形態の支持体１は、設置部材１８を有する。設置部材１８は、たとえば、天井等に設けられた構造体に係合することにより、照明装置Ａ１を当該構造体に設置するためのものである。図示された例においては、設置部材１８は、金属板材料に折り曲げ加工を施すことにより形成されている。
【００２６】
また、本実施形態の支持体１は、複数の配線カバー１５を有する。図６に示すように、配線カバー１５は、天板部１１と第２側板部１３との境界に沿って設けられており、ｚ方向視において内側板部１４のｙ両側に突出している。図示された例においては、３つの配線カバー１５が設けられているが、配線カバー１５の個数は何ら限定されない。
【００２７】
図１３および図１４に示すように、配線カバー１５は、第１カバー部１５１、第２カバー部１５２、固定板部１５３および一対の端板部１５４を有する。第１カバー部１５１は、図２および図６に示す天板部１１および第２側板部１３に固定された状態で、天板部１１と間隔を隔ててｚ方向下方に位置する部位である。第１カバー部１５１は、ｚ方向に対して略直角であり、ｙ方向に長く延びる長矩形状である。第２カバー部１５２は、第１カバー部１５１のｘ方向一端に繋がっており、第２側板部１３と間隔を隔ててｘ方向内方に位置する部位である。第２カバー部１５２は、ｘ方向に対して略直角であり、第１カバー部１５１よりもｙ方向の長さが短い長矩形状である。
【００２８】
固定板部１５３は、第２側板部１３に固定される部位であり、第１カバー部１５１のｘ方向他端に繋がっており、ｘ方向に対して略直角である。本実施形態においては、固定板部１５３には、突起部１５３１および爪部１５３２が設けられている。突起部１５３１は、第２側板部１３からｘ方向外方に突出した部位であり、ｘ方向視において全体がｙ方向に長く延びている。また、突起部１５３１の先端は、根元部分よりもｚ方向寸法が大きい形状である。図示された例においては、２つの突起部１５３１が設けられているが、突起部１５３１の個数は何ら限定されない。突起部１５３１は、固定板部１５３の一部がｘ方向視コの字状のスリットによって区画された部位である。突起部１５３１は、ｙ方向に長く延びており、先端がｘ方向外方に突出している。図示された例においては、２つの突起部１５３１の間に爪部１５３２が設けられている。
【００２９】
図１５に示すように、本実施形態においては、第２側板部１３に位置決め用挿入口１３１、位置決め用スリット１３２および固定用開口１３３が形成されている。位置決め用挿入口１３１は、突起部１５３１をｘ方向内方からｘ方向外方に挿入するためのものである。位置決め用挿入口１３１のｘ方向視における大きさは、突起部１５３１よりも若干大きい。位置決め用スリット１３２は、位置決め用挿入口１３１に繋がっており、ｙ方向に延びている。位置決め用スリット１３２のｚ方向寸法は、突起部１５３１の先端のｚ方向寸法よりも小さく、突起部１５３１の根元部分のｚ方向寸法よりも若干大きい。位置決め用スリット１３２は、位置決め用挿入口１３１に挿入された突起部１５３１をｙ方向にスライドさせるためのものである。図示された例においては、配線カバー１５に設けられた２つの突起部１５３１に対応して、２つずつの位置決め用挿入口１３１および位置決め用スリット１３２が設けられている。
【００３０】
固定用開口１３３は、２つずつの位置決め用挿入口１３１および第１側板部１２３の間に設けられている。上述したように、位置決め用挿入口１３１に挿入された突起部１５３１が位置決め用スリット１３２に沿ってｙ方向にスライドされると、配線カバー１５の固定板部１５３が第２側板部１３に近接または密接した状態でｙ方向にスライドする。このスライドの終点付近において、爪部１５３２の先端の突起が固定用開口１３３に嵌まり込む。これにより、配線カバー１５が第２側板部１３に対して固定される。
【００３１】
＜ＬＥＤユニットＢ１＞
ＬＥＤユニットＢ１は、支持体１に着脱可能に支持されており、光を発するユニットである。本実施形態においては、照明装置Ａ１は、図１〜図４に示すように、２つのＬＥＤユニットＢ１を備えている。２つのＬＥＤユニットＢ１は、各々がｘ方向に長く延びる形状であり、ｙ方向に互いに離間して配置されている。図７〜図１２に示すように、本実施形態のＬＥＤユニットＢ１は、ケース２、一対のエンドキャップ３、リフレクタ４、複数のＬＥＤモジュール５、カバー６および電源部７を有する。また、本実施形態においては、ＬＥＤユニットＢ１は、支持体１の天板部１１、一対の第１側板部１２、一対の第２側板部１３および一対の内側板部１４によって囲まれた空間内に配置されている。
【００３２】
＜ケース２＞
ケース２は、リフレクタ４および複数のＬＥＤモジュール５を収容するものである。本実施形態においては、ケース２は、主板部２１、一対の側板部２２および一対のケース側係合部２３を有する。ケース２の材質は特に限定されず、たとえばＦｅ等からなる金属板を用いて形成される。
【００３３】
主板部２１は、ｘ方向を長手方向とする形状であり、本実施形態においては、ｙ方向を短手方向とする長矩形状である。また、主板部２１は、ＬＥＤユニットＢ１が支持体１に支持された状態で、図４および図５に示すように、天板部１１よりもｚ方向下側に位置する。
【００３４】
一対の側板部２２は、主板部２１のｙ方向両側に位置しており、ｚ方向における下側に延出している。図示された例においては、一対の側板部２２は、主板部２１のｙ方向両端に繋がっており、ｚ方向に沿っている。
【００３５】
一対のケース側係合部２３は、図１０および図１１に示すように、一対の側板部２２の図中下側部分に繋がっており、ｘ方向に長く延びている。一対のケース側係合部２３は、後述のカバー６の一対のカバー側係合部６３と係合することにより、カバー６をケース２に固定するための部位である。
【００３６】
ケース側係合部２３の具体的な構成は特に限定されず、カバー６のカバー側係合部６３と係合することにより、カバー６を固定可能な構成であればよい。図示された例においては、ケース側係合部２３は、ケース２の側板部２２のｘ方向全長にわたって延びる溝形状であり、ケース側第１板部２３１、ケース側第２板部２３２およびケース側第３板部２３３を有する。ケース側第１板部２３１は、側板部２２からｙ方向内方に延出しており、ｚ方向に対して略直角な板状部位である。ケース側第２板部２３２は、側板部２２のうちケース側第１板部２３１に対してｚ方向下側の部分からｙ方向内方に延出しており、ｚ方向に対して略直角な板状部位である。ケース側第３板部２３３は、ケース側第１板部２３１およびケース側第２板部２３２のｙ方向内端縁同士を繋いでおり、ｙ方向に対して略直角である板状部位である。図示された例のケース側係合部２３は、ｘ方向視においてコの字状である。
【００３７】
＜エンドキャップ３＞
一対のエンドキャップ３は、図７〜図９に示すように、ケース２のｘ方向両側を塞いでいる。また、エンドキャップ３は、カバー６がｘ方向に移動することを規制するものである。エンドキャップ３の材質は特に限定されず、たとえば樹脂によって形成されている。本実施形態のエンドキャップ３は、ｘ方向視において矩形状であり、ｘ方向の厚さ（寸法）が比較的薄い、全体として板状の部材である。
【００３８】
＜リフレクタ４＞
リフレクタ４は、ケース２内に収容されており、たとえば金属や樹脂等からなる。リフレクタ４の表面は、金属反射面または白色等の明色に塗装された明色反射面とされている。図９〜図１１に示すように、リフレクタ４は、主板部４１および一対の側板部４２を有する。
【００３９】
主板部４１は、主板部２１のｚ方向下側の面に取り付けられている。主板部４１は、ｘ方向を長手方向とし、ｙ方向を短手方向とする長矩形状である。一対の側板部４２は、主板部４１のｙ方向両端に繋がっており、ｚ方向下側に延びている。一対の側板部４２は、ｚ方向における下側に向かうほどｙ方向における互いの距離が大となるように傾斜している。
【００４０】
本実施形態の側板部４２には、端縁部４２１が形成されている。端縁部４２１は、側板部４２のｚ方向下方端に沿った帯状の部位であり、ｙ方向に対して略直角である。端縁部４２１は、ケース２のケース側係合部２３のケース側第３板部２３３に固定されている。側板部４２２の固定手法は特に限定されず、図示された例においては、図１１に示すように接合材４９を介して固定されている。接合材４９は、たとえば両面接着テープや接着剤等である。
【００４１】
＜ＬＥＤモジュール５＞
ＬＥＤモジュール５は、ＬＥＤユニットＢ１の光源となるモジュールである。図９および図１０に示すように、本実施形態においては、ＬＥＤユニットＢ１は、２つのＬＥＤモジュール５を備えているが、ＬＥＤモジュール５の個数は特に限定されない。２つのＬＥＤモジュール５は、各々がｘ方向に長く延びており、ｙ方向に互いに離間してリフレクタ４の主板部４１上に配置されている。本実施形態のＬＥＤモジュール５は、ＬＥＤ基板５１および複数のＬＥＤ５２を有する。また、複数のＬＥＤモジュール５は、リフレクタ４の一対の側板部４２の間に配置されている。
【００４２】
ＬＥＤ基板５１は、ｘ方向に長く延びる帯状の部材であり、たとえばガラスエポキシ樹脂からなる基材に配線パターン（図示略）が形成されたものである。複数のＬＥＤ５２は
、ＬＥＤ基板５１上にｘ方向に沿って配列されている。ＬＥＤ５２は、いわゆるベアチップ状態のＬＥＤチップでもよいし、ＬＥＤチップ、リードまたは基板、および透光樹脂を有する組合せ構造であってもよい。ＬＥＤ５２が組合せ構造である場合、ＬＥＤチップから青色光を発し、透光樹脂に含まれた蛍光材料が励起されて黄色光を発することにより、白色を発する構成であってもよい。このようなＬＥＤ５２は、昼光色や電球色等の白色を適宜発光可能である。
【００４３】
＜カバー６＞
カバー６は、複数のＬＥＤモジュール５に対してｚ方向下側に配置されており、図示された例においては、ケース２に固定されている。カバー６は、たとえばＬＥＤ５２からの光を透過する樹脂等の材質からなる。カバー６は、透明であってもよいし、たとえば乳白色の半透明の樹脂等からなることにより、ＬＥＤ５２からの光を拡散させつつ透過させるものであってもよい。
【００４４】
図９〜図１２に示すように、本実施形態においては、カバー６は、主板部６１、一対の側板部６２および一対のカバー側係合部６３を有する。主板部６１は、ＬＥＤモジュール５（複数のＬＥＤ５２）をｚ方向下側から覆う部位である。図示された例においては、主板部６１は、ｘ方向に長く延び且つｚ方向に直角である長矩形状の平板状の部位であるが、主板部６１の形状は何ら限定されない。一対の側板部６２は、主板部６１のｙ方向両端縁からｚ方向上側に延びている。側板部６２は、ｚ方向に沿っており、ｘ方向に長く延びている。
【００４５】
一対のカバー側係合部６３は、一対の側板部６２のｚ方向上側部分に繋がっている。カバー側係合部６３は、ケース２のケース側係合部２３に係合することにより、カバー６をケース２に固定するための部位である。カバー側係合部６３の具体的な構成は特に限定されず、ケース２のケース側係合部２３と係合することにより、カバー６を固定可能な構成であればよい。図示された例においては、カバー側係合部６３は、カバー６の側板部６２のｘ方向全長にわたって延びており、カバー側第１板部６３１、カバー側第２板部６３２およびカバー側第３板部６３３を有する。カバー側第１板部６３１は、側板部６２のｚ方向上端縁からｙ方向内方に延出しており、ｚ方向に対して略直角な板状部位である。カバー側第２板部６３２は、側板部６２のうちカバー側第１板部６３１に対してｚ方向下側の部分からｙ方向内方に延出しており、ｚ方向に対して略直角な板状部位である。カバー側第３板部６３３は、カバー側第２板部６３２のｙ方向内端縁からｚ方向上側にカバー側第１板部６３１に向かって延出しており、ｙ方向に対して略直角である板状部位である。図示された例においては、カバー側第３板部６３３は、カバー側第１板部６３１から離間している。
【００４６】
カバー６をケース２に固定する際には、一対のケース側係合部２３に一対のカバー側係合部６３を挿入するようにして、カバー６をケース２に対してｘ方向にスライドさせる。この際、図１１に示すように、ケース側第１板部２３１とカバー側第１板部６３１とが対向するように近接し、ケース側第２板部２３２とカバー側第２板部６３２とが対向するように近接し、ケース側第３板部２３３とカバー側第３板部６３３とが対向するように近接する。また、側板部２２のうちケース側係合部２３よりもｚ方向下側に位置する部分と側板部６２のうちカバー側係合部６３よりもｚ方向下側に位置する部分とが、対向するように近接する。
【００４７】
＜電源部７＞
電源部７は、たとえば商用の１００Ｖ交流電源から供給された交流電力をＬＥＤ５２の点灯に適した直流電力に変換して、ＬＥＤ５２に供給するものである。図４、図５および図８〜図１０に示すように、電源部７は、ケース２の主板部２１に対してｚ方向上側に取
り付けられている。本実施形態においては、電源部７は、ｚ方向視において開口１１１に内包されている。
【００４８】
本実施形態の電源部７は、電源ケース７１、電源基板７２および複数の電源部品７３を有する。電源ケース７１は、電源基板７２および複数の電源部品７３を収容するものであり、図示された例においては、ｘ方向に長く延びる直方体形状である。電源基板７２は、たとえばガラスエポキシ樹脂からなる基材と、当該基材に形成された配線パターンを有する配線基板である。電源基板７２は、ｘ方向に長く延びる長矩形状であり、電源ケース７１内において、ｚ方向上側に配置されている。複数の電源部品７３は、電源部７の電力変換機能を実現するための回路を構成する電子部品であり、たとえば、トランス、コンデンサ、ダイオードおよび抵抗器等を適宜含む。
【００４９】
＜取付部材８１＞
取付部材８１は、ＬＥＤユニットＢ１を支持体１の第２側板部１３に取り付けるためのものである。図２、図５および図７〜図９に示すように、本実施形態においては、ＬＥＤユニットＢ１は、２つの取付部材８１を有する。２つの取付部材８１は、主板部２１のｘ方向両端部分に設けられている。図示された例においては、取付部材８１は、たとえば金属板材料に折り曲げ加工を施すことにより形成される。
【００５０】
＜ＬＥＤ支持具８２＞
ＬＥＤ支持具８２は、ＬＥＤモジュール５をリフレクタ４およびケース２によって支持するためのものである。図８、図９および図１０に示すように、本実施形態においては、１つのＬＥＤモジュール５に対して３つのＬＥＤ支持具８２が設けられている。ＬＥＤ支持具８２は、主板部２１のｚ方向上側から、主板部２１および主板部４１に設けられた開口部を通じてＬＥＤモジュール５をｙ方向両側から挟持することにより、ＬＥＤモジュール５を支持している。ＬＥＤ支持具８２の材質は特に限定されず、たとえば樹脂からなる。
【００５１】
次に、照明装置Ａ１の作用について説明する。
【００５２】
本実施形態によれば、図９〜図１１に示すように、カバー６のカバー側係合部６３をケース２のケース側係合部２３に係合させることにより、カバー６をケース２に固定することができる。このため、他の部材をカバー６およびケース２のそれぞれに固定する等の作業が不要である。また、カバー６とケース２との固定のために別体の部材を用意する必要がない。したがって、カバー６を固定する作業性を高めるとともに、コスト低減を図ることができる。
【００５３】
カバー６を固定するには、ｘ方向に長く延びるケース側係合部２３に、ｘ方向に長く延びるカバー側係合部６３を挿入するようにして、ケース２に対してカバー６をｘ方向にスライドさせればよい。これにより、カバー６をより容易に固定することができる。
【００５４】
カバー６をケース２に固定した状態においては、ケース側第１板部２３１とカバー側第１板部６３１とが対向するように近接し、ケース側第２板部２３２とカバー側第２板部６３２とが対向するように近接する。これにより、カバー６のケース２に対するｚ方向における位置をより正確に設定することができる。また、ケース側第３板部２３３とカバー側第３板部６３３とが対向するように近接する。これにより、カバー６のｙ方向における位置をより正確に設定することができる。
【００５５】
図６および図１３〜図１５に示すように、支持体１に配線カバー１５が設けられていることにより、たとえば図外の給電部からＬＥＤユニットＢ１の電源部７に給電するための
配線（図示略）を配線カバー１５と天板部１１および第２側板部１３との隙間に挿通させることができる。これにより、当該配線が照明装置Ａ１の外観に意図せず過大に表れてしまうことを抑制することができる。また、当該配線の保護を図ることが可能である。配線カバー１５は、突起部１５３１および爪部１５３２を用いて、支持体１の第２側板部１３に対してスライドさせることによって、位置決めと固定とを行うことが可能である。これは、配線カバー１５をより容易に取り付けるのに好ましい。
【００５６】
図１６〜図１９は、本発明の変形例および他の実施形態を示している。なお、これらの図において、上記実施形態と同一または類似の要素には、上記実施形態と同一の符号を付している。
【００５７】
＜カバー６  変形例＞
図１６および図１７は、カバー６の変形例を示している。本変形例のカバー６は、拡散パネル６９をさらに有している。拡散パネル６９は、たとえば片面に複数のプリズムが形成されたプリズムパネル等であり、カバー６を透過した光をさらに拡散させる機能を果たす。
【００５８】
本変形例では、カバー６は、一対のパネル保持部６４を有する。一対のパネル保持部６４は、主板部６１に対してｚ方向において一対のカバー側係合部６３とは反対側（下側）に設けられており、ｙ方向に互いに離間している。パネル保持部６４は、主板部６１のｘ方向全長にわたって設けられており、溝状の部位である。一対のパネル保持部６４に拡散パネル６９のｙ方向両端縁を挿入するようにして拡散パネル６９をｘ方向にスライドさせることにより、拡散パネル６９を取り付けることができる。
【００５９】
本変形例によれば、拡散パネル６９による拡散機能を比較的容易に付加することができる。
【００６０】
＜第２実施形態＞
図１８および図１９は、本発明の第２実施形態に係る照明装置を示している。本実施形態の照明装置Ａ２は、照明装置Ａ１と同様に支持体１および一対のＬＥＤユニットＢ２を備えている。本実施形態の支持体１は、照明装置Ａ１の支持体１と比べてｘ方向の寸法が大きい。また、照明装置Ａ１および照明装置Ａ２における支持体１がｚ方向視において略正方形である場合、照明装置Ａ２の支持体１のｙ方向寸法は、照明装置Ａ１の支持体１のｙ方向寸法よりも大きい。
【００６１】
図１９に示すように、本実施形態のＬＥＤユニットＢ２は、ＬＥＤユニットＢ１とは異なる大きさのエンドキャップ３を有している。照明装置Ａ１のＬＥＤユニットＢ１におけるエンドキャップ３が、ｘ方向寸法が薄い板状の部材であったのに対し、本実施形態のエンドキャップ３は、ｘ方向寸法が相対的に大きい。また、本実施形態のカバー６は、支持体１の大型化に対応してＬＥＤユニットＢ１のカバー６よりもｘ方向寸法が大きい。一方、本実施形態のケース２のｘ方向寸法はＬＥＤユニットＢ１のケース２のｘ方向寸法と略同じである。すなわち、カバー６のｘ方向寸法とケース２のｘ方向寸法とには、明瞭な差が存在する。本実施形態のエンドキャップ３のｘ方向寸法は、カバー６とケース２とのｘ方向寸法の差の概ね１／２に相当する大きさとされている。このため、ケース２に一対のエンドキャップ３を装着したｘ方向寸法とカバー６のｘ方向寸法とが略同じとなっている。
【００６２】
本実施形態から理解されるように、複数種類のエンドキャップ３を用意することにより、共通のケース２、リフレクタ４およびＬＥＤモジュール５を用いて、互いにｘ方向寸法が異なるＬＥＤユニットＢ１およびＬＥＤユニットＢ２を得ることが可能である。これに
より、支持体１の外形寸法に応じたＬＥＤユニットＢ１やＬＥＤユニットＢ２等を選択することにより、外形寸法が異なる複数種類の照明装置Ａ１および照明装置Ａ２等を実現することができる。したがって、照明装置の製品バリエーションを広げつつ、コストを抑制することができる。
【００６３】
＜第３実施形態＞
図２０〜図２８は、本発明の第３実施形態に係る照明装置を示している。本実施形態の照明装置Ａ３は、照明装置Ａ１，Ａ２と同様に支持体１および一対のＬＥＤユニットＢ３を備えている。本実施形態においては、主に、支持体１とＬＥＤユニットＢ３との支持構造が、上述した実施形態と異なっている。
【００６４】
図２０に示すように、本実施形態の支持体１は、複数の保持部材１７を有している。複数の保持部材１７は、第２側板部１３に取り付けられており、ＬＥＤユニットＢ３のｘ方向両端に対向する位置に設けられている。
【００６５】
図２３に示すように、保持部材１７は、主板部１７１、下方傾斜片１７２、一対の側方傾斜片１７３、上方傾斜片１７４、開口１７５および延出片１７６を有する。図示された例においては、保持部材１７は、金属板材料に折り曲げ加工を施すことにより形成されている。
【００６６】
主板部１７１は、ｘ方向に略直角である板状部位である。主板部１７１は、第２側板部１３に取り付けられた状態で第２側板部１３からｘ方向内方に離間している。下方傾斜片１７２は、主板部１７１のｚ方向下端に繋がっている。下方傾斜片１７２は、ｚ方向下方に向かうほどｘ方向外方（主板部１７１から第２側板部１３に向かう方向）に位置するように傾斜している。
【００６７】
一対の側方傾斜片１７３は、主板部１７１のｚ方向下端に繋がっており、下方傾斜片１７２のｙ方向両側に配置されている。側方傾斜片１７３は、ｚ方向下方に向かうほどｘ方向外方（主板部１７１から第２側板部１３に向かう方向）に位置するように傾斜している。さらに、側方傾斜片１７３は、ｙ方向において内方（下方傾斜片１７２に近づく方向）に向かうほど、ｘ方向外方（主板部１７１から第２側板部１３に向かう方向）に位置するように傾斜している。
【００６８】
開口１７５は、主板部１７１に設けられた開口部分である。開口１７５の形状は何ら限定されず、図示された例においては、ｘ方向に沿って視て略矩形状である。上方傾斜片１７４は、開口１７５のｚ方向下端に繋がっている。上方傾斜片１７４は、ｚ方向上方に向かうほどｘ方向外方（主板部１７１から第２側板部１３に向かう方向）に位置するように傾斜している。本実施形態においては、下方傾斜片１７２と上方傾斜片１７４とは、主板部１７１の一部を挟んでｚ方向に並んで配置されている。
【００６９】
延出片１７６は、主板部１７１のｙ方向一方側に位置しており、主板部１７１によりもｘ方向外方（第２側板部１３の側）に位置している。延出片１７６は、ｘ方向に略直角である板状部位である。ねじ孔１７７は、延出片１７６に設けられており、雌ねじが形成された孔である。係止片１７８は、主板部１７１のｙ方向他方側に位置しており、主板部１７１によりもｘ方向外方（第２側板部１３の側）に位置している。係止片１７８は、ｘ方向に略直角である板状部位である。
【００７０】
図２４は、第２側板部１３および保持部材１７を示す断面図であり、延出片１７６を通るｘｙ平面に沿う断面図である。本実施形態においては、第２側板部１３に係止孔１３６および挿通孔１３７が形成されている。係止孔１３６は、保持部材１７の係止片１７８が通過可能な大きさおよび形状である。挿通孔１３７は、ねじ孔１７７の内径と同程度の直径を有する円形の貫通孔である。
【００７１】
本実施形態においては、保持部材１７の係止片１７８が第２側板部１３の係止孔１３６に係止されている。また、保持部材１７のねじ孔１７７と第２側板部１３の挿通孔１３７とがｘ方向に沿って視て略一致した状態で、ねじ１７９が挿通孔１３７に挿通され、且つねじ孔１７７に螺合されている。これにより、保持部材１７が第２側板部１３に取り付けられている。
【００７２】
本実施形態のＬＥＤユニットＢ３の取付部材８１は、図２５に示すように、固定板部８１１、起立部８１２、係合部８１３、先端部８１４、延出部８１５および孔部８１６を有する。図示された例においては、取付部材８１は、金属板材料に折り曲げ加工を施すことにより形成されている。
【００７３】
固定板部８１１は、ｚ方向に略直角である板状部位である。図示された例においては、固定板部８１１は、ｚ方向に沿って視て略矩形状である。起立部８１２は、固定板部８１１のｘ方向一端に繋がっており、ｚ方向上方に起立した部位である。
【００７４】
係合部８１３は、起立部８１２のｚ方向上端に繋がっている。係合部８１３は、起立部８１２からｘ方向外方に向かって突出した形状（ｙ方向に沿って視てくの字状）となるように折り曲げ加工が施された部位である。先端部８１４は、係合部８１３のｚ方向上方に位置している。先端部８１４は、ｙ方向両端縁がｘ方向上方に向かうほどｙ方向内方に位置するように傾斜している。
【００７５】
延出部８１５は、固定板部８１１のｘ方向他端に繋がっており、ｚ方向上方に向けて延出している。孔部８１６は、延出部８１５をｘ方向に貫通しており、図示された例においては、円形状である。
【００７６】
図２６および図２７に示すように、本実施形態においては、主板部２１に複数の差込部２１１が形成されている。差込部２１１は、主板部２１の一部に切断線が設けられ、この切断線に沿った部分が、ｚ方向上方に若干持ち上げられた部位である。図示された例においては、２つの差込部２１１が、互いの開口部分が対向する姿勢で設けられている。取付部材８１の固定板部８１１は、ｙ方向両端部分が２つの差込部２１１に差し込まれている。また、固定板部８１１に設けられた貫通孔にねじ８１９が挿通され、このねじ８１９が主板部２１に螺合されている。これにより、取付部材８１が主板部２１に取り付けられている。
【００７７】
図２６に示すように、支持体１にＬＥＤユニットＢ３を取り付ける際には、支持体１のｚ方向下方からＬＥＤユニットＢ３を上昇される。この際、ｚ方向に互いに離間していた保持部材１７と取付部材８１とが互いに接近する。取付部材８１の先端部８１４は、保持部材１７の一対の側方傾斜片１７３の間から下方傾斜片１７２、主板部１７１および上方傾斜片１７４を経由して開口１７５に進入する。また、先端部８１４とともに係合部８１３が、開口１７５に進入する。これにより、図２７および図２８に示すように、取付部材８１の係合部８１３が、保持部材１７の開口１７５に入り込み、上方傾斜片１７４と当接した状態となる。これにより、取付部材８１が保持部材１７に係合した状態となり、ＬＥＤユニットＢ３が支持体１に支持される。
【００７８】
なお、図２６に示すように、本実施形態においては、第２側板部１３に凸部１３９が形成されている。図示された例においては、１つの保持部材１７に対応して２つの凸部１３９が保持部材１７のｙ方向両側に設けられている。凸部１３９は、第２側板部１３の一部がｘ方向内方に突出した部位である。ＬＥＤユニットＢ３を支持体１に支持させるべく、支持体１のｚ方向下方からＬＥＤユニットＢ３を上昇させると、図２７に示すように、ＬＥＤユニットＢ３の主板部２１が凸部１３９に当接する。この当接と、保持部材１７および取付部材８１の係合とによって、支持体１によるＬＥＤユニットＢ３の支持と、支持体１に対するＬＥＤユニットＢ３のｚ方向の位置決めとがなされる。
【００７９】
また、図示された例においては、図２７に示すように、第２側板部１３に保持孔１３８が設けられている。保持孔１３８は、支持体１にＬＥＤユニットＢ３が支持された状態で、先端部８１４のｚ方向直上に位置する。たとえば、保持孔１３８と取付部材８１の孔部８１６とに保持用の紐を結びつけることにより、ＬＥＤユニットＢ３の意図しない落下を防止することができる。
【００８０】
本実施形態によれば、上述の実施形態と同様の効果を奏することができる。また、図２６〜図２８に示したように、支持体１に対してＬＥＤユニットＢ３をｚ方向下方から上昇させて、取付部材８１を保持部材１７に係合させることによって、支持体１にＬＥＤユニットＢ３を支持させることが可能である。このため、ＬＥＤユニットＢ３の取付作業のために工具等を用いる必要がなく、作業効率を高めることができる。
【００８１】
図２６および図２７に示すように、取付部材８１の固定板部８１１が２つの差込部２１１に差し込まれ、これに加えてねじ８１９が螺合されている。２つの差込部２１１に固定板部８１１を差し込むことにより、主板部２１に対する取付部材８１の位置（ｘ方向およびｙ方向における位置）を規制することが可能である。また、１つのねじ８１９によって取付部材８１を主板部２１に確実に固定することができる。
【００８２】
図２５に示すように、係合部８１３は、ｙ方向に沿って視てくの字状であり、ｚ方向両側に傾斜した部分を有する形状である。このため、図２６および図２７に示すように、ＬＥＤユニットＢ３を上昇させた際に、係合部８１３のｚ方向上側の傾斜部が保持部材１７の下方傾斜片１７２および主板部１７１に摺動することが期待され、よりスムーズに開口１７５に進入することができる。また、ＬＥＤユニットＢ３を１から取り外すために、ＬＥＤユニットＢ３を下降させる際には、係合部８１３のｚ方向下側の傾斜部が、上方傾斜片１７４および主板部１７１に摺動することが期待され、よりスムーズにＬＥＤユニットＢ３を取り外すことができる。なお、係合部８１３のｚ方向上側の傾斜部およびｚ方向下側の傾斜部を設けておけば、保持部材１７に上方傾斜片１７４および下方傾斜片１７２を設けなくても係合部８１３の傾斜部の働きにより、ＬＥＤユニットＢ３をスムーズに取り付け、取り外すことが可能である。保持部材１７に上方傾斜片１７４および下方傾斜片１７２を設けておくことにより、保持部材１７を構成する金属板の切断端面の角部が取付部材８１と擦れることにより生じる金属音の発生を抑制できる。特に、中間開口１１２に、空気吹出口等の空調部品が取り付けられている場合は、当該空調部品により第２側板部１３に常時微細な振動が発生している可能性が高い。このため、保持部材１７と取付部材８１との擦れに起因する金属音の発生を抑制できることは、重要である。
【００８３】
図２６に示すように、取付部材８１の先端部８１４は、ｙ方向両端縁が傾斜した形状である。また、保持部材１７の２つの側方傾斜片１７３は、下方傾斜片１７２のｙ方向両側に位置しており、上述したように傾斜している。これにより、支持体１にＬＥＤユニットＢ３を支持させるためにＬＥＤユニットＢ３を上昇させた際に、取付部材８１が保持部材１７に対してｙ方向に若干ずれていても、あるいは、ＬＥＤユニットＢ３が水平から傾いた状態で上昇したとしても、２つの側方傾斜片１７３によって先端部８１４がいわゆるセンタリングされる格好となり、取付部材８１を保持部材１７に対して適正な位置に導くことができる。このため、取付部材８１が保持部材１７等に不当に引っかかってしまうことなどを抑制することができる。
【００８４】
図２６および図２７に示すように、第２側板部１３に凸部１３９を設けることにより、支持体１に対するＬＥＤユニットＢ３のｚ方向位置をより容易且つより正確に設定することができる。
【００８５】
図２４に示すように、保持部材１７の第２側板部１３への固定は、係止片１７８を係止孔１３６に係止させることと、ねじ１７９による螺合とによってなされている。これにより、１つのねじ１７９によって固定しつつ、係止片１７８の係止によって保持部材１７を第２側板部１３に対してより正確な位置に固定することができる。
【００８６】
本発明に係る照明装置は、上述した実施形態に限定されるものではない。本発明に係る照明装置の各部の具体的な構成は、種々に設計変更自在である。
【符号の説明】
【００８７】
Ａ１，Ａ２，Ａ３：照明装置
Ｂ１，Ｂ２，Ｂ３：ＬＥＤユニット
１        ：支持体
２        ：ケース
３        ：エンドキャップ
４        ：リフレクタ
５        ：ＬＥＤモジュール
６        ：カバー
７        ：電源部
１１      ：天板部
１２      ：第１側板部
１３      ：第２側板部
１４      ：内側板部
１５      ：配線カバー
１７      ：保持部材
１８      ：設置部材
２１      ：主板部
２２      ：側板部
２３      ：ケース側係合部
４１      ：主板部
４２      ：側板部
４９      ：接合材
５１      ：ＬＥＤ基板
５２      ：ＬＥＤ
６１      ：主板部
６２      ：側板部
６３      ：カバー側係合部
６４      ：パネル保持部
６９      ：拡散パネル
７１      ：電源ケース
７２      ：電源基板
７３      ：電源部品
８１      ：取付部材
８２      ：ＬＥＤ支持具
１１１    ：開口
１１２    ：中間開口
１２３    ：第１側板部
１３１    ：位置決め用挿入口
１３２    ：位置決め用スリット
１３３    ：固定用開口
１３６    ：係止孔
１３７    ：挿通孔
１３８    ：保持孔
１３９    ：凸部
１５１    ：第１カバー部
１５２    ：第２カバー部
１５３    ：固定板部
１５４    ：端板部
１７１    ：主板部
１７２    ：下方傾斜片
１７３    ：側方傾斜片
１７４    ：上方傾斜片
１７５    ：開口
１７６    ：延出片
１７７    ：ねじ孔
１７８    ：係止片
１７９    ：ねじ
２３１    ：ケース側第１板部
２３２    ：ケース側第２板部
２３３    ：ケース側第３板部
４２１    ：端縁部
４２２    ：側板部
６３１    ：カバー側第１板部
６３２    ：カバー側第２板部
６３３    ：カバー側第３板部
８１１    ：固定板部
８１２    ：起立部
８１３    ：係合部
８１４    ：先端部
８１５    ：延出部
８１６    ：孔部
８１９    ：ねじ
１５３１  ：突起部
１５３２  ：爪部
【図１】
2020205244.tif 000003
【図２】
2020205244.tif 000004
【図３】
2020205244.tif 000005
【図４】
2020205244.tif 000006
【図５】
2020205244.tif 000007
【図６】
2020205244.tif 000008
【図７】
2020205244.tif 000009
【図８】
2020205244.tif 000010
【図９】
2020205244.tif 000011
【図１０】
2020205244.tif 000012
【図１１】
2020205244.tif 000013
【図１２】
2020205244.tif 000014
【図１３】
2020205244.tif 000015
【図１４】
2020205244.tif 000016
【図１５】
2020205244.tif 000017
【図１６】
2020205244.tif 000018
【図１７】
2020205244.tif 000019
【図１８】
2020205244.tif 000020
【図１９】
2020205244.tif 000021
【図２０】
2020205244.tif 000022
【図２１】
2020205244.tif 000023
【図２２】
2020205244.tif 000024
【図２３】
2020205244.tif 000025
【図２４】
2020205244.tif 000026
【図２５】
2020205244.tif 000027
【図２６】
2020205244.tif 000028
【図２７】
2020205244.tif 000029
【図２８】
2020205244.tif 000030